(57)【要約】【課題】操作キーを見ながら高速で安定したキー入力操作が行え、かつ携帯性に優れた携帯通信端末を提供する。【解決手段】正面側に配置された表面キー２および表面ディスプレイ３と、背面側に配置された背面キーおよび背面ディスプレイとを有し、表面キー２を構成する各キーが複数の記号の入力にそれぞれ供され、背面キーは、表面キー２のキー数よりも多い数のキー群から構成されることを特徴とする。【選択図】      図１
2004221683.tif 000002
【特許請求の範囲】
【請求項１】
正面側に配置された第１の所定の操作キー群および第１のディスプレイと、
背面側に配置された第２の所定の操作キー群および第２のディスプレイとを有し、
前記第１の所定の操作キー群を構成する各キーが複数の記号の入力にそれぞれ供され、前記第２の所定の操作キー群は、前記第１の所定の操作キー群のキー数よりも多い数のキー群から構成されることを特徴とする携帯通信端末。
【発明の詳細な説明】
【０００１】
【発明の属する技術分野】
本発明は、携帯通信端末に関し、特に、背面にキーボードを備えた携帯通信端末に関する。
【０００２】
【従来の技術】
電子手帳機能を備えた携帯電話装置において、従来、ダイヤルキーなどの電話用の操作キーを、ケース本体の表面に開閉可能に取付けられた開閉部材の表面に設け、一方、文字データ入力キーなどの電子手帳用の操作キーを、開閉部材の裏面と、ケース本体表面の開閉部材により覆われる領域との双方に設けるようにして、電子手帳用のデータを入力する際のキー操作が容易になるようにしたものがある（例えば、特許文献１参照）。
【０００３】
また従来、小型電子機器において、機器本体の裏面側に左手用キーボードと右手用キーボードとをそれぞれ配設して、機器本体の両側部を両手で把持した状態で、左手用キーボード及び右手用キーボードを、両手の親指を除く残りの指で操作できるようにしたものがある（例えば、特許文献２参照）。
【０００４】
なお、操作キーの数が少ない通常の携帯電話では一般に、子音連打方式やポケベル方式によって文字を入力したり、あるいは、外付けのキーボードを別途接続して文字を入力したりすることが行われている。
【０００５】
【特許文献１】
特開平５−２１１４６４号公報（図１〜図３）
【特許文献２】
特開平１１−００３１５９号公報（図１）
【０００６】
【発明が解決しようとする課題】
しかしながら、上述の特許文献１における携帯電話装置では、電子手帳用の操作キーが、開閉部材の裏面と、ケース本体表面の開閉部材により覆われる領域との双方に設けられていて、開閉部材をケース本体から開いた状態で電子手帳用データの入力操作が行われるため、特に開閉部材の裏面側のキーを押下げすると、ぐらついて安定したキー入力操作が行えないという問題点があった。
【０００７】
また、特許文献２における小型電子機器のキーボード構造では、機器本体の裏面側に左手用キーボード及び右手用キーボードがそれぞれ配設されているので、ユーザはキーを目視することができず、所望のキーを高速に選択して押下げすることが難しいという問題点があった。
【０００８】
また、従来の通常の携帯電話装置の表面積は限られているので、多数の操作キーを該装置に配置することができず、少ない数の操作キーの各々に多重に文字を割り当てて、子音連打方式やポケベル方式にて文字入力を行うようにしている。そのため、操作キーと文字との対応が一対一ではなく、一文字を入力するのに数ストロークを要し、かくして、高速入力が不可能であり、また操作キーと各文字との対応が分かり難いという問題点があった。
【０００９】
さらにまた、携帯電話装置にＱＷＥＲＴＹ配列の外付けキーボードを接続して高速な文字入力を可能にする方法もあるが、これは携帯性を損なうという問題点があった。
【００１０】
本発明はこのような問題点に鑑みてなされたものであって、操作キーを見ながら高速で安定したキー入力操作が行え、かつ携帯性に優れた携帯通信端末を提供することを目的とする。
【００１１】
【課題を解決するための手段】
上記目的を達成するために、本発明によれば、正面側に配置された第１の所定の操作キー群および第１のディスプレイと、背面側に配置された第２の所定の操作キー群および第２のディスプレイとを有し、前記第１の所定の操作キー群を構成する各キーが複数の記号の入力にそれぞれ供され、前記第２の所定の操作キー群は、前記第１の所定の操作キー群のキー数よりも多い数のキー群から構成されることを特徴とする携帯通信端末が提供される。
【００１２】
【発明の実施の形態】
以下、本発明の実施の形態を、図面を参照して説明する。
【００１３】
図１は、本発明に係る携帯通信端末の一実施の形態の表面（正面）側の構成を示す外観図である。
【００１４】
図１に示すように、本装置では本体１の表面に、表面キー２と表面ディスプレイ３とが配置されている。表面キー２は、テンキー「０〜９」、カーソルキー「↑」「↓」「←」「→」、モードキー「文字」などからなる。表面キー２は、ユーザが本装置を片手で持ったときに親指が届く範囲に配置されている（図５）。
【００１５】
図２は、図１に示す携帯通信端末の背面側の構成を示す外観図である。
【００１６】
図２に示すように、本体１の背面に、背面キー４と背面ディスプレイ５とが配置されている。背面キー４は、数字キー「０〜９」、ローマ字キー「Ａ〜Ｚ」、スペースキー「ＳＰ」、改行キー「Ｅｎｔ」、ＢａｃｋＳｐａｃｅキー「ＢＳ」、シフトキー「Ｓｆｔ」、変換キー「変換」、カーソルキー「←」「→」、モードキー「文字」などからなる。背面キー４は、ユーザが本装置を両手で持ったときに左右何れかの親指が届く範囲に配置されている（図６）。
【００１７】
テキスト編集モードにおいては、図１の表面ディスプレイ３に入力モード表示３１と表面テキスト３２とが表示され、図２の背面ディスプレイ５に入力モード表示５１と背面テキスト５２が表示される。例えば日本語入力モードにおいては入力モード表示３１と入力モード表示５１とに「あ」が表示され（図１、図２）、ローマ字入力モードにおいては、入力モード表示３１と入力モード表示５１とに「Ａ」が表示される（図５〜図７）。入力モードの切り替えは、表面または背面のモードキー「文字」を押下することによって行う。
【００１８】
図３は、本体１に対する電池の装着の様子を示す図である。
【００１９】
本体１の下面には電池挿入スロット６があり、電池８を挿入することができる。電池８の取り出しは、電池取り出しボタン７を押下またはスライドさせることによって行う。
【００２０】
図４は、図１に示す携帯通信端末を構成する主要な部品を示す構成図である。
【００２１】
本携帯通信端末は、表面キー２、表面ディスプレイ３、背面キー４、背面ディスプレイ５、電池挿入スロット６、電池取り出しボタン７、電池８、ＣＰＵ９、ＲＡＭ１０、ＲＯＭ１１、テキスト編集部１２、通話処理部１３、通信部１４、Ｇセンサ１５から構成されている。テキスト編集部１２、通話処理部１３、通信部１４は、ＲＯＭ１１に格納される制御プログラムをＣＰＵ９が実行することによって実現する機能を示す。テキスト編集部１２は、ＣＰＵ９が、ＲＡＭ１０によって提供されるテキストバッファを利用し、ＲＯＭ１１に格納されるかな漢字変換プログラム、辞書等に基づき、入力テキストの表示、カーソルの移動、画面のスクロール、文字の削除等の制御を行った際の処理機能に相当する。Ｇセンサ１５（重力センサ）は携帯通信端末の重力方向に対する傾きを検出する。
【００２２】
図５は、本携帯通信端末をユーザが片手で持って操作している状態を示す図である。
【００２３】
この状態では、表面キー２と表面ディスプレイ３とがＯＮ（表面キー２がアクティブになり、表面ディスプレイ３が表示状態になる）になり、背面キー４と背面ディスプレイ５とがＯＦＦ（背面キー４がロックされ、背面ディスプレイ５が非表示状態になる）になっている。また、子音連打方式によって表面キー２を親指で押下することによってテキストが入力できる。入力されたテキストは図５のように表面ディスプレイ３に表示される。テキスト編集においてカーソルは、「↑」キーで上に、「↓」キーで下に、「←」キーで左に、「→」キーで右に移動する。
【００２４】
図６は、裏返して背面側をユーザに向けた本携帯通信端末を、ユーザが両手で持って操作している状態を示す図である。
【００２５】
この状態では、表面キー２と表面ディスプレイ３とがＯＦＦになり、背面キー４と背面ディスプレイ５とがＯＮになっている。なお、背面キー４は、ＱＷＥＲＴＹ配列となっており、ＱＷＥＲＴＹ配列のキーボードにおける入力方式によって背面キー４が両手の親指で押下されてテキストが入力される。入力されたテキストは図６のように背面ディスプレイ５に表示される。テキスト編集においてカーソルは、「←」キーで左に、「→」キーで右に移動する。
【００２６】
図７は、図６の状態から再び裏返して表面側をユーザに向けた本携帯通信端末を、ユーザが両手で持って操作している状態を示す図である。
【００２７】
この状態では、表面キー２と表面ディスプレイ３とがＯＮになり、背面キー４と背面ディスプレイ５とがＯＦＦになる。また、子音連打方式で表面キー２を親指で押下することによりテキストを入力することができる。入力されたテキストは、図７の表面ディスプレイ３に示すように横表示モードになる。図７の状態では、テキスト編集において、カーソルが「↑」キーで左に、「↓」キーで右に、「←」キーで下に、「→」キーで上に移動する。
【００２８】
図８は、図５〜図７を参照して説明した本携帯通信端末の状態遷移を実行する処理の手順を示す流れ図である。
【００２９】
まず、ステップＳ１０１において、Ｇセンサ１５によって端末の重力方向に対する傾きを検出する。この検出された傾きを基に、ステップＳ１０２において、端末の表面（正面）が上を向いているか否かを判定する。
【００３０】
端末の表面（正面）が上を向いているならばステップＳ１０３に進んで、表面キー２と表面ディスプレイ３とをＯＮにし、背面キー４と背面ディスプレイ５とをＯＦＦにする。次にステップＳ１０４において、端末が重力方向に対してほぼ平行になるように（本体１の長辺方向がほぼ垂直になるように）立てられたか否かを判定する。端末の上面がほぼ真上になるように立てられたならば、ステップＳ１０５に進んで、表面ディスプレイ３の表示を通常表示モード（図５の表面ディスプレイ３に表示されている表示モード）にする。ステップＳ１０４において、端末の上面がほぼ真上になるように立てられていないと判定されたならば、ステップＳ１０１に戻る。
【００３１】
ステップＳ１０２において、端末の表面（正面）が上を向いていない、すなわち端末の背面が上を向いていると判定されたならば、ステップＳ１０６に進んで、表面ディスプレイ３を横表示モード（図７の表面ディスプレイ３に表示されている表示モード）にする。つぎにステップＳ１０７において、表面キー２と表面ディスプレイ３とをＯＦＦにし、背面キー４と背面ディスプレイ５とをＯＮにする（図６の状態）。このあとステップＳ１０１に戻る。
【００３２】
図６の状態で端末を裏返せば、ステップＳ１０１、Ｓ１０２を経て、ステップＳ１０３に進むことになり、ステップＳ１０３において、表面キー２と表面ディスプレイ３とがＯＮになり、背面キー４と背面ディスプレイ５とがＯＦＦになり、表面ディスプレイ３には横表示モードでテキストが表示される（図７の表面ディスプレイ３に表示されている表示モード）。
【００３３】
このようにＧセンサ１５で端末の傾きを検出して、表面または背面のキーおよびディスプレイを自動的にアクティブにしたりロックしたりすることができる。これにより、例えば、端末を裏返して背面キー４により高速にテキストを入力、編集しながら、単に端末を表面（正面）に反転することだけで、広い表面ディスプレイ３で入力テキストを確認および編集することができる。
【００３４】
図９は、テキストバッファと表面テキスト３２と背面テキスト５２とカーソルとの関係を示した図である。
【００３５】
図９では、説明を簡単にするため、文字は全て全角（または全て半角）であるとし、表面テキスト３２（図１、図５、図７）の１行の文字数は全てＷ文字であるとする。またテキストバッファは始点がＳで、Ｌ×Ｗ文字のサイズであるとする。表面テキスト３２には、通常表示モード（図５）と横表示モード（図７）の何れにおいても１行Ｗ文字でＨ（Ｈ＜Ｌ）行が表示されるとする。すなわち表面テキスト３２には、テキストバッファ上の点Ｆから始まってＨ×Ｗ文字が表示される。ここで点ＦはＷの整数倍の単位で移動し、Ｆのとりうる値はＦ＝Ｓ＋ｎ×Ｗ（ｎ＝０、１、・・・、Ｌ−Ｈ）である。従って、表面テキスト３２の領域（Ｆ〜Ｆ＋Ｈ×Ｗ−１）はテキストバッファの領域（Ｓ〜Ｓ＋Ｌ×Ｗ−１）内に含まれる。
【００３６】
また背面テキスト５２は１行からなり、Ｋ×Ｗ（Ｋ＜Ｈ）文字が表示可能であるとする。すなわち背面テキスト５２には、テキストバッファ上の点Ｂから始まってＫ×Ｗ文字が表示される。ここで点ＢはＷの整数倍の単位で移動し、Ｂのとりうる値はＢ＝Ｓ＋ｍ×Ｗ（ｍ＝ｎ、ｎ＋１、・・・、ｎ＋Ｈ−Ｋ）である。従って、背面テキスト５２の領域（Ｂ〜Ｂ＋Ｋ×Ｗ−１）は表面テキスト３２の領域（Ｆ〜Ｆ＋Ｈ×Ｗ−１）内に含まれる。またテキストバッファ上のある点を指しているカーソル（Ｃ）は、背面テキスト５２内に存在すると同時に表面テキスト３２内に存在する。
【００３７】
図１０及び図１１は、カーソルの移動に伴う画面のスクロールおよびシフトの処理の手順を示す流れ図である。
【００３８】
カーソルの移動はＣの値が変化することによって行われ、表面テキスト３２のスクロールはＦの値が変化することによって行われ、背面テキスト５２のスクロールはＢの値が変化することによって行われる（図９）。例えば、カーソルの左への一文字移動は、Ｃ←Ｃ−１で表され、カーソルの右への一文字移動は、Ｃ←Ｃ＋１で表され、カーソルの上への１行移動は、Ｃ←Ｃ−Ｗで表され、カーソルの下への１行移動は、Ｃ←Ｃ＋Ｗで表される。また、表面テキスト３２の上行への１行スクロールは、Ｆ←Ｆ−Ｗで表され、表面テキスト３２の下行への１行スクロールは、Ｆ←Ｆ＋Ｗで表され、背面テキスト５２の左へのＷ文字シフトは、Ｂ←Ｂ−Ｗで表され、背面テキスト５２の右へのＷ文字シフトは、Ｂ←Ｂ＋Ｗで表される。
【００３９】
次に図１０及び図１１の流れ図に沿って上記処理を説明する。
【００４０】
ステップＳ２０１において、カーソル移動の操作が行われたか否かを判定する。カーソル移動操作が行われなければステップＳ２０１に戻る。カーソル移動の操作が行われたならば、その移動の方向を判別する（Ｓ２０１ａ）。携帯通信端末の表面（正面）が上を向いているときに、カーソルを上に移動する操作が行われたならば、ステップＳ２０２に進み、カーソルを上に移動可能（Ｃ−Ｗ≧Ｓ）であるか否かを判定する。可能ならばステップＳ２０３において、カーソルを上に移動する（Ｃ←Ｃ−Ｗ）。カーソルを上に移動できなければステップＳ２０１に戻る。
【００４１】
ステップＳ２０１ａにおいて、カーソルを左に移動する操作が行われたと判別されたならば、ステップＳ２０４に進み、カーソルを左に移動可能（Ｃ−１≧Ｓ）であるか否かを判定し、可能ならばステップＳ２０５においてカーソルを左に移動する（Ｃ←Ｃ−１）。カーソルを左に移動できなければステップＳ２０１に戻る。
【００４２】
次にステップＳ２０６において、カーソルが背面テキスト５２の領域からはみ出した（Ｃ＜Ｂ）か否かを判定する。カーソルが背面テキスト５２の領域からはみ出していなければステップＳ２０１に戻る。カーソルが背面テキスト５２の領域からはみ出していれば、ステップＳ２０７に進み、背面テキスト５２を左にＷ文字シフト可能（Ｂ−Ｗ≧Ｓ）か否かを判定する。シフト可能でなければステップＳ２０１に戻る。シフト可能であればステップＳ２０８に進み、背面テキストを左にＷ文字シフトする（Ｂ←Ｂ−Ｗ）。次にステップＳ２０９において、背面テキスト５２が表面テキスト３２の領域からはみ出した（Ｂ＜Ｆ）か否かを判定する。背面テキスト５２が表面テキスト３２の領域からはみ出していなければステップＳ２０１に戻る。背面テキスト５２が表面テキスト３２の領域からはみ出していればステップＳ２１０に進んで、表面テキスト３２を上に１行スクロールして（Ｆ←Ｆ−Ｗ）ステップＳ２０１に戻る。
【００４３】
ステップＳ２０１ａにおいて、カーソルを右に移動する操作が行われたと判別されたならば、ステップＳ２１１に進んで、カーソルを右に移動可能（Ｃ＋１≦Ｓ＋ＬＷ）であるか否かを判定する。可能ならばステップＳ２１２において、カーソルを右に移動する（Ｃ←Ｃ＋１）。カーソルを右に移動できなければステップＳ２０１に戻る。
【００４４】
ステップＳ２０１ａにおいて、携帯通信端末の表面（正面）が上を向いているときに、カーソルを下に移動する操作が行われたと判別されたならば、ステップＳ２１３に進み、カーソルを下に移動可能（Ｃ＋Ｗ≦Ｓ＋ＬＷ）であるか否かを判定し、可能ならばステップＳ２１４において、カーソルを下に移動する（Ｃ←Ｃ＋Ｗ）。カーソルを下に移動できなければステップＳ２０１に戻る。
【００４５】
次にステップＳ２１５において、カーソルが背面テキスト５２の領域からはみ出した（Ｃ≧Ｂ＋ＫＷ）か否かを判定する。カーソルが背面テキスト５２の領域からはみ出していなければステップＳ２０１に戻る。カーソルが背面テキスト５２の領域からはみ出していれば、ステップＳ２１６に進んで、背面テキスト５２を右にＷ文字シフト可能（Ｂ＋ＫＷ＋Ｗ≦Ｓ＋ＬＷ）であるか否かを判定する。シフト可能でなければステップＳ２０１に戻る。シフト可能であればステップＳ２１７に進んで、背面テキスト５２を右にＷ文字シフトする（Ｂ←Ｂ＋Ｗ）。次にステップＳ２１８において、背面テキスト５２が表面テキスト３２の領域からはみ出した（Ｂ≧Ｆ＋ＨＷ）か否かを判定する。背面テキスト５２が表面テキスト３２の領域からはみ出していなければステップＳ２０１に戻る。背面テキスト５２が表面テキスト３２の領域からはみ出していれば、ステップＳ２１９において、表面テキスト３２を下に１行スクロールして（Ｆ←Ｆ＋Ｗ）、ステップＳ２０１に戻る。
【００４６】
ここでは、カーソルの移動に伴う画面のスクロールおよびシフトの処理について説明したが、文字入力、ＢＳキー操作等に伴う画面のスクロールおよびシフトの処理も同様である。
【００４７】
このように、表面ディスプレイ３及びディスプレイ５のうち一方のディスプレイ画面でカーソルを移動すると、それに連動して他方のディスプレイ画面でもカーソルが移動する。また、表面テキスト３２のスクロールに連動して背面テキスト５２もシフトし、背面テキスト５２のシフトに連動して表面テキスト３２もスクロールするので、本携帯通信端末を表側（正面側）にして使用しても（図５、図７）、本携帯通信端末を裏返して背面側にして使用しても（図６）、両面のディスプレイにはカーソル近傍部分の同じテキストが表示される。したがって、携帯通信端末を裏返して背面キー４を使用して高速にテキストを編集し、必要に応じて、携帯通信端末を表側（正面側）に反転して表面ディスプレイ３の広い画面で入力テキストを確認および編集するようなことができる。
【００４８】
〔他の実施の形態〕
上記実施の形態では、Ｇセンサ１５によって携帯通信端末本体の傾きを検出して、その検出された傾きから携帯通信端末本体の姿勢を検知し、この姿勢に応じて、表面または背面の操作キーやディスプレイを自動的にＯＮに切り替えたりＯＦＦに切り替えたり、また自動的に通常表示モード（図５）と横表示モード（図７）とを切り替えたりしているが、これに代わって、別途に操作キーを設けて、このキー操作によってこれらの切り替えをユーザが任意に行うようにしてもよい。
【００４９】
なお本携帯通信装置は、具体的には、携帯電話装置、ＰＨＳ（Ｐｅｒｓｏｎａｌ  Ｈａｎｄｙｐｈｏｎｅ  Ｓｙｓｔｅｍ）、ハンディターミナル、リモコン（リモートコントローラ）等のいずれであってもよい。
【００５０】
またなお、本発明の目的は、前述の各実施の形態の機能を実現するソフトウェアのプログラムコードを記録した記憶媒体を、システムまたは装置に供給し、そのシステムまたは装置のコンピュータ（またはＣＰＵ、ＭＰＵ等）が記憶媒体に格納されたプログラムコードを読み出して実行することによっても達成される。
【００５１】
この場合、記憶媒体から読み出されたプログラムコード自体が前述した各実施の形態の機能を実現することになり、そのプログラムコードを記憶した記憶媒体は本発明を構成することになる。
【００５２】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ−Ｒ、磁気テープ、不揮発性のメモリカード、ＲＯＭ等を用いることができる。
【００５３】
また、コンピュータが読み出したプログラムコードを実行することにより、上記の各実施の形態の機能が実現されるだけでなく、そのプログラムコードの指示に基づき、コンピュータ上で稼動しているＯＳ（オペレーティングシステム）等が実際の処理の一部または全部を行い、その処理によって前述した各実施の形態の機能が実現される場合も含まれる。
【００５４】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した各実施の形態の機能が実現される場合も含まれる。
【００５５】
以上のように、本発明の各種の実施の形態を示して説明したが、以下に本発明の実施態様の例を列挙する。
【００５６】
〔実施態様１〕  正面側に配置された第１の所定の操作キー群および第１のディスプレイと、
背面側に配置された第２の所定の操作キー群および第２のディスプレイとを有し、
前記第１の所定の操作キー群を構成する各キーが複数の記号の入力にそれぞれ供され、前記第２の所定の操作キー群は、前記第１の所定の操作キー群のキー数よりも多い数のキー群から構成されることを特徴とする携帯通信端末。
【００５７】
〔実施態様２〕  前記第１の所定の操作キー群および前記第１のディスプレイをアクティブにして前記第２の所定の操作キー群および前記第２のディスプレイをロックする第１の動作モードと、前記第１の所定の操作キー群および前記第１のディスプレイをロックして前記第２の所定の操作キー群および前記第２のディスプレイをアクティブにする第２の動作モードとを切り替える切替手段を更に有することを特徴とする実施態様１記載の携帯通信端末。
【００５８】
〔実施態様３〕  前記携帯通信端末の姿勢を検出する姿勢検出手段を更に有し、
前記切替手段は、前記姿勢検出手段によって検出された姿勢に応じて、前記第１及び第２の動作モードのうちの一方に切り替えることを特徴とする実施態様２記載の携帯通信端末。
【００５９】
〔実施態様４〕  前記切替手段は、前記姿勢検出手段によって検出された姿勢に応じて、前記携帯通信端末の正面側が重力方向と反対方向にほぼ向いているとき、前記第１の動作モードに切り替え、前記携帯通信端末の背面側が重力方向と反対方向にほぼ向いているとき、前記第２の動作モードに切り替えることを特徴とする実施態様３記載の携帯通信端末。
【００６０】
〔実施態様５〕  前記切替手段は、ユーザによる所定キーの入力操作に応じて、前記第１及び第２の動作モードのうちの一方に切り替えることを特徴とする実施態様２記載の携帯通信端末。
【００６１】
〔実施態様６〕  前記第１のディスプレイに表示されるテキストの表示方向を切り替える切替手段を更に有することを特徴とする実施態様１記載の携帯通信端末。
【００６２】
〔実施態様７〕  前記携帯通信端末の姿勢を検出する姿勢検出手段を更に有し、
前記切替手段は、前記姿勢検出手段によって検出された姿勢に応じて、前記テキストの表示方向を切り替えることを特徴とする実施態様６記載の携帯通信端末。
【００６３】
〔実施態様８〕  前記切替手段は、ユーザによる所定キーの入力操作に応じて、前記テキストの表示方向を切り替えることを特徴とする実施態様６記載の携帯通信端末。
【００６４】
〔実施態様９〕  前記第１のディスプレイに表示されるテキストの一部分が前記第２のディスプレイに表示されることを特徴とする実施態様１〜８のいずれかに記載の携帯通信端末。
【００６５】
〔実施態様１０〕  前記第１及び第２のディスプレイのうちの一方の画面でカーソルが移動すれば、他方の画面でも連動してカーソルが移動することを特徴とする実施態様９記載の携帯通信端末。
【００６６】
〔実施態様１１〕  前記第２のディスプレイの画面でのカーソルの移動に応じて、前記第１のディスプレイに表示されたテキストがスクロールされることを特徴とする実施態様１０記載の携帯通信端末。
【００６７】
〔実施態様１２〕  前記第１のディスプレイの画面でのカーソルの移動に応じて、前記第２のディスプレイに表示されたテキストがシフトされることを特徴とする実施態様１０記載の携帯通信端末。
【００６８】
〔実施態様１３〕  正面側に第１の所定の操作キー群および第１のディスプレイが配置され、背面側に第２の所定の操作キー群および第２のディスプレイが配置された携帯通信端末に適用されるテキスト表示方法において、
前記第１のディスプレイに表示されるテキストの一部分を前記第２のディスプレイに表示するステップを有することを特徴とするテキスト表示方法。
【００６９】
〔実施態様１４〕  前記第１及び第２のディスプレイのうちの一方の画面でカーソルが移動したとき、他方の画面でも連動してカーソルを移動するステップを更に有することを特徴とする実施態様１３記載のテキスト表示方法。
【００７０】
〔実施態様１５〕  前記第２のディスプレイの画面でのカーソルの移動に応じて、前記第１のディスプレイに表示されたテキストをスクロールするステップを更に有することを特徴とする実施態様１４記載のテキスト表示方法。
【００７１】
〔実施態様１６〕  前記第１のディスプレイの画面でのカーソルの移動に応じて、前記第２のディスプレイに表示されたテキストをシフトするステップを更に有することを特徴とする実施態様１４記載のテキスト表示方法。
【００７２】
〔実施態様１７〕  正面側に第１の所定の操作キー群および第１のディスプレイが配置され、背面側に第２の所定の操作キー群および第２のディスプレイが配置された携帯通信端末に適用されるテキスト表示方法を、コンピュータに実行させるためのプログラムにおいて、
前記テキスト表示方法が、
前記第１のディスプレイに表示されるテキストの一部分を前記第２のディスプレイに表示するステップを有することを特徴とするプログラム。
【００７３】
〔実施態様１８〕  前記テキスト表示方法が、前記第１及び第２のディスプレイのうちの一方の画面でカーソルが移動したとき、他方の画面でも連動してカーソルを移動するステップを更に有することを特徴とする実施態様１７記載のプログラム。
【００７４】
〔実施態様１９〕  前記テキスト表示方法が、前記第２のディスプレイの画面でのカーソルの移動に応じて、前記第１のディスプレイに表示されたテキストをスクロールするステップを更に有することを特徴とする実施態様１８記載のプログラム。
【００７５】
〔実施態様２０〕  前記テキスト表示方法が、前記第１のディスプレイの画面でのカーソルの移動に応じて、前記第２のディスプレイに表示されたテキストをシフトするステップを更に有することを特徴とする実施態様１８記載のプログラム。
【００７６】
〔実施態様２１〕  正面側に第１の所定の操作キー群および第１のディスプレイが配置され、背面側に第２の所定の操作キー群および第２のディスプレイが配置された携帯通信端末に適用されるテキスト表示方法をプログラムとして記憶した、コンピュータにより読み出し可能な記憶媒体において、
前記テキスト表示方法が、
前記第１のディスプレイに表示されるテキストの一部分を前記第２のディスプレイに表示するステップを有することを特徴とする記憶媒体。
【００７７】
〔実施態様２２〕  前記テキスト表示方法が、前記第１及び第２のディスプレイのうちの一方の画面でカーソルが移動したとき、他方の画面でも連動してカーソルを移動するステップを更に有することを特徴とする実施態様２１記載の記憶媒体。
【００７８】
〔実施態様２３〕  前記テキスト表示方法が、前記第２のディスプレイの画面でのカーソルの移動に応じて、前記第１のディスプレイに表示されたテキストをスクロールするステップを更に有することを特徴とする実施態様２２記載の記憶媒体。
【００７９】
〔実施態様２４〕  前記テキスト表示方法が、前記第１のディスプレイの画面でのカーソルの移動に応じて、前記第２のディスプレイに表示されたテキストをシフトするステップを更に有することを特徴とする実施態様２２記載の記憶媒体。
【００８０】
【発明の効果】
以上詳述したように本発明によれば、正面側に配置された第１の所定の操作キー群および第１のディスプレイと、背面側に配置された第２の所定の操作キー群および第２のディスプレイとを有し、前記第１の所定の操作キー群を構成する各キーが複数の記号の入力にそれぞれ供され、前記第２の所定の操作キー群は、前記第１の所定の操作キー群のキー数よりも多い数のキー群から構成されることを特徴とする携帯通信端末が提供される。
【００８１】
こうした構成により、第２の所定の操作キーを見ながら高速で安定したキー入力操作が行え、かつ他のキーボードを接続する必要がないので携帯性に優れている。
【００８２】
また、姿勢検出手段（Ｇセンサ）で携帯通信端末の姿勢を検出し、正面または背面のキーおよびディスプレイを自動的にアクティブにしたりロックしたりすることにより、携帯通信端末を裏返して背面側の第２の所定の操作キー群で高速にテキスト編集し、また携帯通信端末を正面側に戻して、正面側の第１のディスプレイの広い画面で入力テキストを確認したり、第１の所定の操作キー群で編集したりすることができる。
【００８３】
また、テキスト編集中において、正面及び背面の両ディスプレイの画面中でカーソルが連動して移動する。またカーソルの移動に連動して正面画面上のテキストがスクロールし、背面画面上のテキストがシフトする。さらに、テキスト中の注目部分がユーザ側に向いている方の画面に常に表示されるので、携帯通信端末を正面及び背面に反転しながら滑らかにテキスト編集を行うことができる。
【図面の簡単な説明】
【図１】本発明に係る携帯通信端末の一実施の形態の表面（正面）側の構成を示す外観図である。
【図２】図１に示す携帯通信端末の背面側の構成を示す外観図である。
【図３】本体に対する電池の装着の様子を示す図である。
【図４】図１に示す携帯通信端末を構成する主要な部品を示す構成図である。
【図５】本携帯通信端末をユーザが片手で持って操作している状態を示す図である。
【図６】裏返して背面側をユーザに向けた本携帯通信端末を、ユーザが両手で持って操作している状態を示す図である。
【図７】図６の状態から再び裏返して表面側をユーザに向けた本携帯通信端末を、ユーザが両手で持って操作している状態を示す図である。
【図８】本携帯通信端末の状態遷移を実行する処理の手順を示す流れ図である。
【図９】テキストバッファと表面テキストと背面テキストとカーソルとの関係を示した図である。
【図１０】カーソルの移動に伴う画面のスクロールおよびシフトの処理の手順を示す流れ図（１／２）である。
【図１１】カーソルの移動に伴う画面のスクロールおよびシフトの処理の手順を示す流れ図（２／２）である。
【符号の説明】
１  本体
２  表面キー（第１の所定の操作キー群）
３  表面ディスプレイ（第１のディスプレイ）
４  背面キー（第２の所定の操作キー群）
５  背面ディスプレイ（第２のディスプレイ）
３１  入力モード表示
３２  表面テキスト
５１  入力モード表示
５２  背面テキスト
【図１】
2004221683.tif 000003
【図２】
2004221683.tif 000004
【図３】
2004221683.tif 000005
【図４】
2004221683.tif 000006
【図５】
2004221683.tif 000007
【図６】
2004221683.tif 000008
【図７】
2004221683.tif 000009
【図８】
2004221683.tif 000010
【図９】
2004221683.tif 000011
【図１０】
2004221683.tif 000012
【図１１】
2004221683.tif 000013